(57)【要約】      （修正有）【課題】輝度ムラ、色むらを低減可能な面むら補正装置を提供する。【解決手段】表示パネルに表示された映像を画像データとして取り込む入力手段と、表示パネルの表示面に予め複数に分割された補正ポイントを設定し、画像データを利用して各補正ポイントに対応する画素の面むらを補正する補正データを生成するとともに、隣接する複数の補正ポイントの補正データ同志が予め設定した差を有して規則的に並んだ場合には、ならび方向にある複数の補正ポイントの補正データ値を所定間隔毎に差分だけ変更した補正データを生成する補正手段と、複数の補正ポイント間に位置する中間画素に対して互いに隣接する補正ポイントの補正データを用いて補間処理を行い、画素の面むらを補正する補間データを生成する補間データ生成手段と、補正データと補間データを利用して表示パネルに面むら補正信号を出力する出力手段とを具備する。【選択図】  図１
2005017715.tif 000002
【特許請求の範囲】
【請求項１】
水平方向および垂直方向に配列された複数の画素によって構成される表示パネルの面むら補正装置であって、
前記表示パネルに表示された映像を画像データとして取込む入力手段と、
前記表示パネルの表示面に予め複数に分割された補正ポイントを設定し、前記画像データを利用して前記各補正ポイントに対応する画素の面むらを補正する補正データを生成するとともに、隣接する複数の補正ポイントの補正データ同志が予め設定した差を有して規則的に並んだ場合には、前記並び方向にある複数の補正ポイントの補正データ値を所定間隔毎に前記差分だけ変更した補正データを生成する補正データ生成手段と、
前記複数の補正ポイント間に位置する中間画素に対して面むら補正を行うため、互いに隣接する補正ポイントの補正データを用いて補完処理を行い、前記中間画素の面むらを補正する補完データを生成する補間データ生成手段と、
前記補正データ生成手段からの補正データと前記補間データ生成手段からの補間データを利用して前記表示パネルに面むら補正信号を出力する出力手段とを具備したことを特徴とする面むら補正装置。
【請求項２】
補正データ生成手段は、隣接する複数の補正ポイントの補正データ同志が１ＬＳＢの差を有して規則的に並んだ場合に、前記並び方向にある複数の補正ポイントの補正データ値を所定間隔毎に前記１ＬＳＢ分だけ変更するようにしたことを特徴とする請求項１記載の面むら補正装置。
【請求項３】
補正データ生成手段は、隣接する複数の補正ポイントの補正データ同志が１ＬＳＢの差を有して規則的に並んだ場合に、前記並び方向にある補正ポイントの補正データ値を１つ置きに前記１ＬＳＢ分だけ変更するようにしたことを特徴とする請求項２記載の面むら補正装置。
【請求項４】
水平方向および垂直方向に配列された複数の画素によって構成される表示パネルの面むら補正装置であって、
前記表示パネルに表示された映像を画像データとして取込む入力手段と、
前記表示パネルの表示面に予め複数に分割された補正ポイントを設定し、前記画像データを利用して前記各補正ポイントに対応する画素の面むらを補正する補正データを生成するとともに、隣接する複数の補正ポイントの補正データ同志が予め設定した差を有して規則的に並んだ場合には、隣接する並び方向にある複数の補正ポイントの補正データ値を所定のフィールド単位で前記差分だけ変更した補正データ生成する補正データ生成手段と、
前記複数の補正ポイント間に位置する中間画素に対して面むら補正を行うため、互いに隣接する補正ポイントの補正データを用いて補完処理を行い、前記中間画素の面むらを補正する補完データを生成する補間データ生成手段と、
前記補正データ生成手段からの補正データと前記補間データ生成手段からの補間データを利用して前記表示パネルに面むら補正信号を出力する出力手段とを具備したことを特徴とする面むら補正装置。
【請求項５】
補正データ生成手段は、隣接する複数の補正ポイントの補正データ同志が１ＬＳＢの差を有して規則的に並んだ場合に、前記並び方向にある複数の補正ポイントの補正データ値を所定のフィールド単位毎に前記１ＬＳＢ分だけ変更するようにしたことを特徴とする請求項４記載の面むら補正装置。
【請求項６】
補正データ生成手段は、隣接する複数の補正ポイントの補正データ同志が１ＬＳＢの差を有して規則的に並んだ場合に、前記並び方向にある補正ポイントの補正データ値を１フィールド置きに前記１ＬＳＢ分だけ変更するようにしたことを特徴とする請求項４記載の面むら補正装置。
【請求項７】
水平方向および垂直方向に配列された複数の画素によって構成される表示パネルの面むら補正方法であって、
前記表示パネルの表示面に予め複数に分割して設定された補正ポイントの輝度レベルを測定するステップと、
前記各補正ポイントの輝度レベルを基準値に近づけるように補正するための補正データを生成するとともに、互いに隣接する複数の補正ポイントの補正データ同志が予め設定した差を有して規則的に並んだ場合には、前記並び方向にある複数の補正ポイントの補正データ値を所定間隔毎に前記差分だけ変更した補正データを生成する補正データ生成ステップと、
前記複数の補正ポイント間に位置する中間画素に対して面むら補正を行うため、互いに隣接する補正ポイントの補正データを用いて補完処理を行い補間データを生成する補間ステップと、
前記補正データ生成ステップで生成した補正データ及び前記補間ステップで生成した補間データにより前記表示パネルの輝度レベルを補正するステップとからなる面むら補正方法。
【請求項８】
水平方向および垂直方向に配列された複数の画素によって構成される表示パネルの面むら補正方法であって、
前記表示パネルの表示面に予め複数に分割して設定された補正ポイントの輝度レベルを測定するステップと、
前記各補正ポイントの輝度レベルを基準値に近づけるように補正するための補正データを生成するとともに、互いに隣接する複数の補正ポイントの補正データ同志が予め設定した差を有して規則的に並んだ場合には、前記並び方向にある複数の補正ポイントの補正データ値を所定のフィールド単位で前記差分だけ変更した補正データを生成する補正データ生成ステップと、
前記複数の補正ポイント間に位置する中間画素に対して面むら補正を行うため、互いに隣接する補正ポイントの補正データを用いて補完処理を行い補間データを生成する補間ステップと、
前記補正データ生成ステップで生成した補正データ及び前記補間ステップで生成した補間データにより前記表示パネルの輝度レベルを補正するステップとからなる面むら補正方法。
【発明の詳細な説明】
【０００１】
【発明の属する技術分野】
本発明は、液晶プロジェクタ等の映像表示装置に係り、特に表示映像に生じる輝度むらや色むらを補正する面むら補正装置及び面むら補正方法に関するものである。
【０００２】
【従来の技術】
従来、液晶パネルを用いた映像表示装置として液晶プロジェクタがある。この液晶プロジェクタは、光源からの光を三原色（Ｒ，Ｇ，Ｂ）の光に分離し、これら三原色光をＲ，Ｇ，Ｂ用の液晶パネルにそれぞれ照射し、各液晶パネルをＲ，Ｇ，Ｂ信号によって駆動することにより、それぞれ強度の変調されたＲ，Ｇ，Ｂ光を出射し、それら出射光を合成してスクリーンに投射するものである。
【０００３】
一方、液晶パネルは、液晶層の厚みが全体的に均一であることが望ましいが、パネル周辺部と中央部とで厚みが異なったりして、同一の液晶パネルであっても部分的に輝度むらを生じることがあった。また、光源から分離した三原色光の特性によっても輝度むらを生じることがあり、面単位での輝度が一様ではなく、むらが発生してしまうのは現状では避けられないものとなっている。これら輝度むらがＲ，Ｇ，Ｂ用の液晶パネルに生じた場合、投射映像には色むらが生じることになる。以下、このような輝度むら或いは色むらを総称して面むらと呼ぶ。
【０００４】
従来、上記輝度むらを軽減するため、各液晶パネルの輝度むらの状態を測定し、その測定結果に応じて輝度むらを補正する信号を生成し、映像信号に重畳する方法が知られている。即ち、プロジェクタから調整用の映像をスクリーンに投射し、スクリーンに表示された映像をカメラで撮影し、それを画像データとして調整装置に取込み、液晶パネルの複数のポイントでの輝度レベルをそれぞれ測定し、基準レベルと比較してその差に応じた補正信号を生成し、液晶パネルに供給する映像信号に前記補正信号を重畳して輝度むらを低減するようにしている。
【０００５】
上記補正信号を生成する上で、前記補正ポイントの数を増やせば増やすほど、輝度むらの補正精度は向上するが、それに比例して補正データの量も増加してしまう。したがって、現状では、表示画面上をある一定間隔毎に分割して複数の補正ポイントを設定し、各ポイント毎に補正信号を生成して補正をかけ、補正ポイント間は補間により補正信号を生成するようにしている。
【０００６】
しかしながら、このような補間方法を用いた場合、輝度むら補正された画面にすじ状のノイズが発生することがある。例えば図７（ａ）のように、縦ｎライン、横ｍ画素で構成されている表示パネルに補正をかける場合を例に説明すると、補正ポイントを図の黒丸で示すように所定の間隔毎に設定し、各補正ポイント間に白丸で示す補間ポイントが存在するものとする。そして、図７（ｂ）のように隣接する補正ポイント間の補正データの差が最小単位しか違わない値に設定され（例えば０と１）、その関係が図の様に規則正しく連続して並んだとする。
【０００７】
このとき補正ポイント間の中間画素に対しては、補間処理により補正値が設定されるが、隣接する補正ポイント同士の設定値が１ＬＳＢ（Ｌｅａｓｔ  Ｓｉｇｎｉｆｉｃａｎｔ  Ｂｉｔ）しか違わないため、補間データは、０か１のどちらか一方の値が適用される（図では小フォントの０に設定された例を示す）。このような補正がされたとき、ちょうど縦線が引かれたかのようなすじ状のノイズＹが見えてしまう。
【０００８】
現状では輝度むら補正の解像度は１０ｂｉｔが主流であり、通常１０ｂｉｔの解像度があれば、人間の視覚にはスムーズな変化として認識され、不自然さは無いとされていた。映像出力解像度が１０ｂｉｔあれば、隣り合った画素同士が最小単位の１ＬＳＢしか違わない場合でも、その変化は人間の視覚の検知限以下であるとされている。しかし図７（ｂ）のように同じ値が連続して並ぶ場合は人間の視覚の感度が非常に高くなり、検知されてしまう事がわかった。
【０００９】
したがって、隣接する補正ポイント間の補正データの差が最小単位の１ｂｉｔしか違わない値に設定され、その関係が図の様に規則正しく連続して並んだ場合は、補正後の表示画面には縦すじの面むらが現れてしまう。
【００１０】
そこでこのような、すじ状の面むらを低減するため、特許文献１には、表示パネルの画素をライン方向に複数のグループに分割し、各グループを水平方向にそって複数のブロックに分割し、各ブロックの分割位置を隣接するグループ間で異ならせるように補正ポイントを形成したり、各ブロックの分割位置をフィールド間で異ならせるようにした例が記載されている。
【００１１】
【特許文献１】
特開平１１−２０２８２７号公報（図３〜図５）
【００１２】
【発明が解決しようとする課題】
特許文献１に示す色むら補正回路では、すじ状の色むらは低減できるが、回路構成が複雑になるという不都合がある。本発明は、簡単な回路構成により、輝度むら、色むらを低減可能な面むら補正装置を提供することを目的とする。
【００１３】
【課題を解決するための手段】
請求項１記載の発明は、水平方向および垂直方向に配列された複数の画素によって構成される表示パネルの面むら補正装置であって、
前記表示パネルに表示された映像を画像データとして取込む入力手段と、
前記表示パネルの表示面に予め複数に分割された補正ポイントを設定し、前記画像データを利用して前記各補正ポイントに対応する画素の面むらを補正する補正データを生成するとともに、隣接する複数の補正ポイントの補正データ同志が予め設定した差を有して規則的に並んだ場合には、前記並び方向にある複数の補正ポイントの補正データ値を所定間隔毎に前記差分だけ変更した補正データを生成する補正データ生成手段と、
前記複数の補正ポイント間に位置する中間画素に対して面むら補正を行うため、互いに隣接する補正ポイントの補正データを用いて補完処理を行い、前記中間画素の面むらを補正する補完データを生成する補間データ生成手段と、
前記補正データ生成手段からの補正データと前記補間データ生成手段からの補間データを利用して前記表示パネルに面むら補正信号を出力する出力手段とを具備したことを特徴とする。
【００１４】
また、請求項４記載の発明は、前記補正データを生成する際に、隣接する複数の補正ポイントの補正データ同志が予め設定した差を有して規則的に並んだ場合には、隣接する並び方向にある複数の補正ポイントの補正データ値を所定のフィールド単位で前記差分だけ変更した補正データ生成する補正データ生成手段を備えたことを特徴とする。
【００１５】
さらに請求項７記載の発明は、水平方向および垂直方向に配列された複数の画素によって構成される表示パネルの面むら補正方法であって、
前記表示パネルの表示面に予め複数に分割して設定された補正ポイントの輝度レベルを測定するステップと、
前記各補正ポイントの輝度レベルを基準値に近づけるように補正するための補正データを生成するとともに、互いに隣接する複数の補正ポイントの補正データ同志が予め設定した差を有して規則的に並んだ場合には、前記並び方向にある複数の補正ポイントの補正データ値を所定間隔毎に前記差分だけ変更した補正データを生成する補正データ生成ステップと、
前記複数の補正ポイント間に位置する中間画素に対して面むら補正を行うため、互いに隣接する補正ポイントの補正データを用いて補完処理を行い補間データを生成する補間ステップと、
前記補正データ生成ステップで生成した補正データ及び前記補間ステップで生成した補間データにより前記表示パネルの輝度レベルを補正するステップとからなることを特徴とする。
【００１６】
また、請求項８記載の発明は、補正データを生成する際に、互いに隣接する複数の補正ポイントの補正データ同志が予め設定した差を有して規則的に並んだ場合には、前記並び方向にある複数の補正ポイントの補正データ値を所定のフィールド単位で前記差分だけ変更した補正データを生成するようにしたことを特徴とする。
【００１７】
上記の面むら補正装置及び面むら補正方法によれば、互いに隣接する複数の補正ポイントの補正データ同志が予め設定した差を有して規則的に並ぶような場合であっても、列方向の補間データを交互に異なる値に変更することができ、すじ状のノイズを見えなくすることができる。
【００１８】
【発明の実施の形態】
以下本発明の実施形態を図を参照して説明する。図１は本発明の面むら補正装置を備える映像表示装置の一実施形態を示すブロック図であり、図２は面むら補正装置を示すブロック図である。
【００１９】
図１は映像表示装置の全体ブロック図であり、液晶プロジェクタ１１、スクリーン２１、カメラ３１、面むら補正信号を生成する補正装置４１からなっている。
【００２０】
液晶プロジェクタ１１は、光学ボックス１２と光源１３と投射レンズ１４を含み、光学ボックス１２内には液晶パネル１５が設けられ、この液晶パネル１５には映像信号処理回路１６からの映像信号が供給されるようになっている。前記映像信号処理回路１６には、信号源１７からの信号が供給され、かつ補正装置４１から面むら補正用の補正信号が供給される。
【００２１】
尚、液晶パネル１５はＲ，Ｇ，Ｂ用の三枚の液晶パネルで構成され、かつ光源１３からの光をＲ，Ｇ，Ｂ光に分光して各液晶パネルに入射する分光手段（ダイクロイックミラー等）や、各液晶パネルからの出射光を合成して投射レンズ１３に導く合成手段（クロスプリズム等）を備えているが、便宜上、図示は省略している。こうして、投射レンズ１４から投射された映像はスクリーン２１に表示される。
【００２２】
次に液晶パネル１５の面むら補正の概略について説明する。例えば液晶パネル１５に輝度むらがある場合、液晶プロジェクタ１１からは面むら補正用の信号に基づく映像（例えば全白画像）が投射され、スクリーン２１に表示される。カメラ３１では、その投射映像を撮影し、撮影した映像信号を補正装置４１に供給する。補正装置４１ではスクリーン２１上での輝度むらの状態を検出し、輝度むらを補正する補正信号を生成する。
【００２３】
上記補正信号は、液晶プロジェクタ１１の映像信号処理回路１６に供給され、液晶パネル１５上の輝度むら発生部分の輝度を補正し、液晶パネル面の輝度が全体として一定になるように補正する。尚、補正装置４１にディスプレイ５０を接続し、輝度むら補正の状態を確認できるようにしても良い。
【００２４】
図２は、前記補正装置４１の具体構成を示すブロック図である。図２において、４２はカメラ３１からの映像信号をデジタル信号に変換するＡ／Ｄ変換回路であり、このＡ／Ｄ変換回路４２によって画像データ（輝度データ）が生成される。この画像データは次段のポイントデータ抽出回路４４に供給される。このポイントデータ抽出回路４４には、水平、垂直同期信号Ｈ，Ｖも供給され、さらに水平同期信号Ｈに同期したクロック信号ｃｋを生成するクロック回路４３が接続されている。
【００２５】
ポイントデータ抽出回路４４は、カメラ３１で撮影された映像上に所定間隔で設定された複数の補正ポイント（つまり液晶パネル１５の表示面上における複数の補正ポイントに相当）の輝度データをそれぞれ抽出するもので、前記クロックｃｋをカウントすることにより水平方向の位置を設定し、水平同期信号Ｈをカウントすることにより、ライン方向（垂直方向）の位置を設定することができ、これによって複数の各補正ポイントにおける輝度データを抽出する。また垂直同期信号Ｖを利用してフィールド判別を行うようにしている。
【００２６】
こうして抽出された各補正ポイントの輝度データは次段の補正データ算出回路４５に送られる。補正データ算出回路４５では、各補正ポイントの輝度データを基準データと比較し、その差分に相当する補正データを各補正ポイント毎に算出し、メモリ４６に記憶する。
【００２７】
また、ポイントデータ抽出回路４４、補正データ算出回路４５等は、マイクロコンピュータ４８によって動作が制御され、各補正ポイント間に位置するポインントの補正データを補間により算出し、メモリ４６に記憶するようにしている。こうして各補正ポイント及びそれらの間に位置する各ポイント毎の補正データが順次メモリ４６から読み出され、Ｄ／Ａ変換回路４７によってアナログ信号に変換され、映像信号処理回路１６に供給されることになる。
【００２８】
尚、Ｄ／Ａ変換回路は、映像信号処理回路１６の中に設けてもよく、この場合は、メモリ４６から読み出したデータをそのまま映像信号処理回路１６に供給し、映像信号処理回路１６の中のＤ／Ａ変換回路でアナログ信号に変換し、映像信号に面むら補正信号を重畳することになる。
【００２９】
図３は、前述した補間データの算出方法を説明する図であり、図４はマイクロコンピュータ４８による補間処理の流れを示すフローチャートである。
【００３０】
例えば図３（ａ）のように、縦ｎライン、横ｍ画素で構成されている表示パネルに補正をかける場合を例に説明すると、複数の補正ポイントを図の黒丸で示すように所定の間隔毎に設定し、各補正ポイント間に白丸で示す補間ポイントが存在するものとする。そして、図３（ｂ）のように隣接する補正ポイント間の補正データの差が最小単位の１ｂｉｔしか違わない値に設定され（例えば０と１）、その関係が図の様に規則正しく連続して並んだとする。
【００３１】
このとき補正ポイント間の映像構成要素（画素）に対しては、補間処理により補正データが算出されるが、隣接する補正ポイント同士の補正データが１ＬＳＢしか違わないため、単純に補間した場合、補間データは、０か１のどちらか一方の値が適用されてしまう（図７参照）。これではすじ状の縦線ノイズが見えてしまう。そこで、本発明では、互いに隣接する補正ポイントの補正データが最小単位の１ＬＳＢしか違わず、規則的に連続して並んだような場合は、並び方向の１つ置きの補正ポイントのデータ値を１だけ増加（又は減少）させ、補間データの値を並び方向に１つずつ交互に変化させるようにしている。
【００３２】
即ち、図３（ｂ）で分るように、例えば列方向に並ぶ複数の補正ポイントの内、或る列方向の補正データが「０」であり、それらに隣接する列方向の補正データが「１」であり、かつ連続しているとマイコロコンピュータ４８が判断した場合、補正データ「１」の列について１つ置きに補正値１を加算して「２」とし、補間処理を行うようにする。これにより、補間されたデータは「０」と「２」の中間値「１」となるため、列方向の補間データはに交互に異なる値に変化することになる。このため、列方向に見た場合、直線的にはならず、すじ状のノイズは見えなくなる。
【００３３】
尚、規則的に連続して並んで隣接する補正データのうち、一方の列の値が３で、他方の列の値が４で、それらの差が１ＬＳＢであるような場合は、一方の列の補正データ値を１だけ減少して「２」とするか、他方の列の補正データ値を１だけ増加して「４」とするようにしても良い。
【００３４】
図４は、補正装置４１の動作フローチャートであり、ステップＳ１において面むら補正の動作がスタートすると、ステップＳ２ではカメラ３１からの画像データを取込み、ステップＳ３では、面むらの状態を検出し、各補正ポイントにおける補正データを演算して作成する。次のステップＳ４では、補正データの演算結果をもとに同じ補正データが連続する個所を検出し、ステップＳ５では、隣接する補正ポイントの補正データが連続して並んでいるか否かを判別する。
【００３５】
補正データが連続して並んでいない場合は、補正データをそのままとし（ステップＳ６）、次の補間処理ステップでＳ７で補間データを作成する。また、ステップＳ５で補正データが連続して並んでいると判断した場合は、ステップＳ８に移行し、互いに並んでいるデータの補正値の差が最小値（１ＬＳＢ）か否か判断する。差が２ＬＳＢ以上の場合は、ステップＳ６に進み、差が１ＬＳＢのときはステップＳ９において、先に作成した補正データの連続して並んでいる部分を１つ置きに１ＬＳＢだけ値を変え、ステップＳ７で補間処理を行う。
【００３６】
こうして、各補正ポイントの補正データと、補間処理によって算出された補正ポイント間の補間データは、ステップＳ１０において液晶プロジェクタ１１に送られ、処理が終了する（ステップＳ１１）。
【００３７】
このように補間データを算出する際、各補正ポイントの補正データの状況を判断して補間値を変化させることにより、人間の視覚感度は通常に戻り、検知限の法則により最早、線として検知されなくなり、すじ状のノイズ発生を防ぐことができる。また、補正データの値を１だけ増加（又は減少）させたが、これも前述の検知限の法則通り連続していないので、検知されない。
【００３８】
尚、以上の説明では、縦（列）方向に同じデータが連続する場合について説明したが、横（行）方向に同様の連続性が生じた場合にも対処することができる。
【００３９】
次に本発明の他の実施形態について、図５を参照して説明する。第１の実施形態では面むら補正を二次元的な処理で行う例を述べたが、図５の例は三次元的な処理を行うものである。
【００４０】
即ち、図５では、隣接した補正ポイント間の補正データが１ＬＳＢしか違わず、かつ列方向（又は行方向）に同じデータが連続するような場合、映像のフィールド単位で、補正データの増加（又は減少）を行い、補間演算を行い補間データを生成するようにしたものである。
【００４１】
図５は、連続する順次の映像フィールドにおける補正データ及び補間データの値を示したもので、第１のフィールドでは、隣接する補正ポイントの補正データ「０」と「１」をそのまま利用して補完することで、補完データは「０」となっているが、次の第２フィールドでは隣接する補正ポイントのうち、「１」の補正データに１を加算した上で補完処理することにより、補完データは「１」に変化している。また第３のフィールドでは２つ前のフィールドと同じ処理を行う。こうして順次フィルド単位で補完の仕方を変えることにより、線として現れていた補正の境目を目立たなくすることができる。
【００４２】
図６は、図５のような補完処理を行う場合の動作フローチャートを示したものである。図６では、図４のフローチャートの内、ステップＳ９がステップＳ１９に変わったものであり、作成した補正データの連続して並んでいる部分を、１フィールド置きに片側だけ１ＬＳＢ分値を変えて、ステップＳ７に導き、補完処理を行う点に特徴がある。
【００４３】
尚、以上の説明では三板式液晶プロジェクタの面むら補正について説明したが、単板式の液晶プロジェクタや、直視式の液晶表示装置、或いはマトリクス配置された画素を有する他の表示装置の面むら補正に適用することもできる。
【００４４】
【発明の効果】
以上のように本発明によれば、液晶パネルの面むら補正を行った際に生じるすじ状のノイズを低減することができ、視覚的に品位の高い映像を表示することができる。
【図面の簡単な説明】
【図１】本発明の一実施形態による液晶プロジェクタにおける面むら補正装置の全体構成を示すブロック図。
【図２】本発明の一実施形態における面むら補正装置を示す回路図。
【図３】本発明の一実施形態における面むら補正の動作を説明する説明図。
【図４】本発明の一実施形態における面むら補正の動作を説明するフローチャート。
【図５】本発明の他の実施形態における面むら補正の動作を説明する説明図。
【図６】本発明の他の実施形態における面むら補正の動作を説明するフローチャート。
【図７】従来の面むら補正の動作を説明する説明図。
【符号の説明】
１１…液晶プロジェクタ
１２…光学ボックス
１３…光源
１４…投射レンズ
１５…液晶パネル
１６…映像信号処理回路
１７…信号源
２１…スクリーン
３１…カメラ
４１…補正装置
４２…Ａ／Ｄ変換回路
４３…クロック生成回路
４４…ポイントデータ抽出回路
４５…補正データ算出回路
４６…メモリ
４７…Ｄ／Ａ変換回路
４８…制御回路
【図１】
2005017715.tif 000003
【図２】
2005017715.tif 000004
【図３】
2005017715.tif 000005
【図４】
2005017715.tif 000006
【図５】
2005017715.tif 000007
【図６】
2005017715.tif 000008
【図７】
2005017715.tif 000009